【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
課金装置に投入される投入金額に応じて出力処理をする画像形成装置であって、
画像データを出力するために必要な課金額を算定する算定手段と、
前記算定手段により算定された課金額と前記投入金額とを比較して、前記投入金額が不足する場合、出力すべき画像データのうち、前記投入金額で出力できる出力可能範囲と前記投入金額の不足によって出力できない非出力可能範囲とを識別可能に表示部に表示させる表示制御手段とを備えることを特徴とする画像形成装置。
【請求項２】
前記表示制御手段によって、前記出力可能範囲、又は非出力可能範囲を自動で表示するか否かを設定する設定手段をさらに備えることを特徴とする請求項１に記載の画像形成装置。
【請求項３】
前記出力設定は、白黒／カラーの設定、縮小レイアウトの設定、または用紙サイズの設定のいずれかを含むことを特徴とする請求項１又は２記載の画像形成装置。
【請求項４】
前記表示制御手段は、前記非出力可能範囲をグレーアウトで前記表示部に表示させることを特徴とする請求項１乃至３のいずれか１項に記載の画像形成装置。
【請求項５】
前記表示制御手段はさらに、前記課金額に対して不足している金額を前記表示部に表示させることを特徴とする請求項１乃至４のいずれか１項に記載の画像形成装置。
【請求項６】
前記出力可能範囲の表示を再度求められた場合、前記算出手段は再度、画像データを出力するために必要な課金額を算定し、前記表示制御手段は再度、前記算定手段により算定された課金額と前記投入金額とを比較して、前記出力可能範囲または前記非出力可能範囲を前記表示部に表示させることを特徴とする請求項１乃至５のいずれか１項に記載の画像形成装置。
【請求項７】
課金装置に投入される投入金額に応じて出力処理をする画像形成装置の表示制御方法であって、
画像データを出力するために必要な課金額を算定する算定工程と、
前記算定工程により算定された課金額と前記投入金額とを比較して、前記投入金額が不足する場合、出力すべき画像データのうち、前記投入金額で出力できる出力可能範囲と前記投入金額の不足によって出力できない非出力可能範囲とを識別可能に表示部に表示させる表示制御工程と、
を有することを特徴とする画像形成装置の表示制御方法。
【請求項８】
課金装置に投入される投入金額に応じて出力処理をする画像形成装置のコンピュータを制御するプログラムであって、
画像データを出力するために必要な課金額を算定する算定工程と、
前記算定工程により算定された課金額と前記投入金額とを比較して、前記投入金額が不足する場合、出力すべき画像データのうち、前記投入金額で出力できる出力可能範囲と前記投入金額の不足によって出力できない非出力可能範囲とを識別可能に表示部に表示させる表示制御工程と、
を前記コンピュータに実行させることを特徴とするプログラム。
【手続補正２】
【補正対象書類名】明細書
【補正対象項目名】０００７
【補正方法】変更
【補正の内容】
【０００７】
上記目的を達成する本発明の画像形成装置は以下に示す構成を備える。
課金装置に投入される投入金額に応じて出力処理をする画像形成装置であって、画像データを出力するために必要な課金額を算定する算定手段と、前記算定手段により算定された課金額と前記投入金額とを比較して、前記投入金額が不足する場合、出力すべき画像データのうち、前記投入金額で出力できる出力可能範囲と前記投入金額の不足によって出力できない非出力可能範囲とを識別可能に表示部に表示させる表示制御手段とを備えることを特徴とする。
【手続補正３】
【補正対象書類名】明細書
【補正対象項目名】００３２
【補正方法】変更
【補正の内容】
【００３２】
Ｓ７０１で、ＣＰＵ１１１は印刷可能なページ数の算出処理を行う。例えば、下記のように算出を行う。
印刷可能ページ数 ＝（（投入金額÷（モノ／カラー単価）））× N-up
次に、Ｓ７０２で、ＣＰＵ１１１は、印刷可能ページのためのプレビュー領域が不足するか否かを判断する。算出方法としては、例えば図２の（Ａ）では印刷不可ページプレビューフィールド２４０で表示可能なプレビュー画像は４面となる。印刷可能ページは２ページ分である。さらに印刷不可ページのプレビューのため、最低１面を残しておく必要があるが、それでも利用する面は３面であり、プレビュー領域は不足しないと判断して、Ｓ７０３に進む。
【手続補正４】
【補正対象書類名】明細書
【補正対象項目名】００３３
【補正方法】変更
【補正の内容】
【００３３】
また、図７の（Ｂ）に示すようにプレビュー表示フィールドで表示可能なプレビュー画像は４面となる。印刷可能ページは４ページ分である。さらに印刷不可ページのプレビューのため、最低１面を残しておく必要があるが、利用する面は５面であり、プレビュー領域が不足すると判断して、Ｓ７０４に進む。
そして、Ｓ７０３で、ＣＰＵ１１１は、Ｓ７０１で算出した印刷可能ページ数分のページの通常プレビュー処理を行い、図７の（Ｂ）に示す印刷可能ページプレビューフィールド１３０１にプレビュー画像を表示する。
一方、Ｓ７０４では、ＣＰＵ１１１が印刷可能ページのまとめ表示を行い、Ｓ７０５へ進む。具体的には、例えば図７の（Ｂ）に示すように、利用する面が５面となるため、印刷可能ページでは３面の利用に抑える必要がある。従って、ＣＰＵ１１１は、１ページ目と２ページ目は通常プレビューを行い、３ページ目と４ページ目は印刷可能ページまとめプレビュー１３０２のようにまとめて表示する。
【手続補正５】
【補正対象書類名】明細書
【補正対象項目名】００３４
【補正方法】変更
【補正の内容】
【００３４】
次に、Ｓ７０５で、ＣＰＵ１１１は、下記のように算出式に従い印刷不可なページ数の算出処理である。
印刷不可ページ数 ＝ 全ページ数 − 印刷可能ページ数
そして、Ｓ７０６で、ＣＰＵ１１１は、印刷不可ページのためのプレビュー領域が不足するか否かを判断する。
ここでは、算出方法として、例えば図２の（Ａ）では印刷不可ページプレビューフィールド２４０で表示可能なプレビュー画像は４面となる。ここで、印刷可能ページで利用した面は２面であるため、印刷不可ページのプレビューに利用可能な面は２面になる。ただ印刷不可ページに利用する面は１面であり、プレビュー領域は不足しないと判断して、Ｓ７０７に進む。
【手続補正６】
【補正対象書類名】明細書
【補正対象項目名】００３５
【補正方法】変更
【補正の内容】
【００３５】
また、図７の（Ｂ）でもプレビュー表示フィールドで表示可能なプレビュー画像は４面となる。ここで、印刷可能ページで利用した面は３面であるため、印刷不可ページのプレビューに利用可能な面は１面になる。印刷不可ページに利用する面は９６面であり、プレビュー領域が不足すると判断して、Ｓ７０８に進む。
そして、Ｓ７０７で、ＣＰＵ１１１は、Ｓ７０５で算出した印刷不可ページ数分のページを、通常プレビュー処理した画像をさらにグレイアウト表示し、印刷不可ページプレビューフィールド１３０３に表示して、本処理を終了する。
一方、Ｓ７０８では、ＣＰＵ１１１が印刷不可ページのまとめ表示を行う。例えば図７の（Ｂ）に示す例では、利用する面は９６面であるが、印刷不可ページは１面の利用に抑える必要がある。従って、５ページ目から１００ページ目までを、印刷不可ページまとめプレビュー１３０３のようにまとめて表示する。
【手続補正７】
【補正対象書類名】図面
【補正対象項目名】図４
【補正方法】変更
【補正の内容】
【図４】
2011118212.tif 000001
【手続補正８】
【補正対象書類名】図面
【補正対象項目名】図１０
【補正方法】変更
【補正の内容】
【図１０】
2011118212.tif 000002